(57)【要約】  【課題】  本発明は、清掃の行い易い天井を有する浴室ユニットを、提供することを目的とする。  【解決手段】  天井パネルと、この天井パネルの裏側に積層される遮光部材と、上記天井パネル裏面に設置される光源とを備え、上記天井パネルが透光性部材であって、遮光領域と透光領域とに区分される浴室ユニット。  【選択図】  図５
2009046872.tif 000002
【特許請求の範囲】
【請求項１】
天井パネルと、この天井パネルの裏側に積層される遮光部材と、上記天井パネル裏面に設置される光源とを備え、上記天井パネルが透光性部材であって、遮光領域と透光領域とに区分される浴室ユニット。
【請求項２】
請求項１において、天井パネルの裏側に積層される遮光部材が、印刷層によって形成される浴室ユニット。
【請求項３】
請求項１又は２において、光源が、発光ダイオードである浴室ユニット。
【発明の詳細な説明】
【技術分野】
【０００１】
本発明は、浴室ユニットに関し、特に天井に配置される照明に関する。
【背景技術】
【０００２】
浴室ユニットは、在来工法に比較し、工期を大幅に短くすることを目的として考え出されたもので、浴室を形成する部材を予め作成し、これら部材を施工現場で組み立てるようにしている。
【０００３】
図１は、浴室ユニットを示す概略透視斜視図である。浴室ユニット１は、底面を防水パン２、側面を壁パネル３、上面を天井パネル４として閉空間を形成している。浴室ユニット１の内部には、防水パン２の上に載置された浴槽５、洗い場正面に設置されたカウンター６、このカウンター６の上方に付設させた水栓７、壁パネル３に固着させた鏡８、室内を照らす灯具９等があり、これらを短時間にて施工することができる。
また、防水パン２は、浴槽５を載置する浴槽載置防水パンと、洗い場を形成する洗い場防水パンとが、一体成形されたものと、分割されたものとがあり、分割されたものは、施工現場にて２つの防水パンを水密的に結合して使用する。壁パネル３は、図示を省略するフレームによって支えられ、その上面にて天井パネル４を支える。
【０００４】
図２は、図１に示す灯具周囲の拡大断面図である。
浴室ユニット内を照らす灯具９は、白熱球１０が用いられており、天井パネル４の裏面に固定された照明カバー１１内に白熱球１０を入れ、浴室内からの湿気を遮断する透光カバー１２により蓋をして完成する。
【０００５】
尚、光源については、蛍光灯を使用するものもあり、近年高輝度の発光ダイオードが使用できることから、特許文献１に示すように、複数の発光ダイオードを並べて面状発光体となし、これを用いることも提案されている。
【特許文献１】特開２００１−０４０８９１号公報
【発明の開示】
【発明が解決しようとする課題】
【０００６】
しかしながら、図１及び図２に示す浴室ユニットでは、透光カバーが、天井パネルの浴室側表面より、浴室内へと突出しているので、天井の清掃が行いにくく、透光カバーと天井パネルとの間に汚れが溜まりやすくなる問題がある。
【０００７】
本発明は、清掃の行い易い天井を有する浴室ユニットを、提供することを目的とする。
【課題を解決するための手段】
【０００８】
本発明は、以下のものに関する。
（１）天井パネルと、この天井パネルの裏側に積層される遮光部材と、上記天井パネル裏面に設置される光源とを備え、上記天井パネルが透光性部材であって、遮光領域と透光領域とに区分される浴室ユニット。
（２）項（１）において、天井パネルの裏側に積層される遮光部材が、印刷層によって形成される浴室ユニット。
（３）項（１）又は（２）において、光源が、発光ダイオードである浴室ユニット。
【発明の効果】
【０００９】
本発明によれば、天井パネル自体を透光性部材とすることにより、従来使用していた透光カバーを不要となし、灯具を設置する際の突出部分がなくなるので、清掃性が良く、汚れの溜まりにくい浴室ユニットを提供することができる。
また、天井パネルは、遮光領域と透光領域とに区分されているので、透光性部材を使用していても、遮光領域が天井裏面の光源等の機器を隠し、美観を損ねることがない。
遮光部材が、印刷層により形成される場合は、新たに遮光をする部材を用意する必要がなく、天井パネルに対する荷重も軽減することができる。
光源が発光ダイオードである場合は、熱の発生が殆どないことから、天井パネルに耐熱性部材を使用する必要がなく、寿命が長いことから、光源を交換する手間も省くことができる。
【発明を実施するための最良の形態】
【００１０】
本発明にて述べる天井パネルは、透光性部材であり、後述する遮光部材により遮光領域と透光領域とに区分されるものであれば特に限定されるものではない。
透光性部材は、光源からの光を透過させ、浴室内を照明可能なものであればよく、無色透明、有色透明、無色（白色）半透明、有色半透明なものを使用することができる。
材質としては、水場で使用することから、錆の心配がない、合成樹脂成形品を用いることが好ましく、中でも透明性の高い、アクリル樹脂成形品、ポリカーボネート樹脂成形品、ＡＢＳ成形品、ＰＰ成形品、ＰＥＴ成形品等成形品等を用いることが、特に好ましい。
また、天井パネルの室外側には、断熱材として、発泡ウレタン、発泡スチレン、真空断熱材等を配置することもできる。
【００１１】
天井パネルは、単板であっても、複数の部材を接続して形成するものであっても良いが、清掃性の点から考えると、継ぎ目のない単板であることが好ましい。
また、天井パネルの形状は、清掃性の観点から、浴室内側の表面が、平面、又は、なだらかな曲線であることが好ましい。
【００１２】
本発明にて述べる遮光部材は、先に述べた天井パネルの裏面、即ち浴室外となる面に積層されるものであり、光源からの光を遮光するものであれば特に限定されるものではない。
より具体的には、遮光性の板状成形体、遮光性のシート材・フィルム材、遮光性の塗料等を使用することができ、中でも、塗料を用いて印刷層を形成し、これによって遮光部材を形成するものが、軽量であり、製造工程の容易で好ましい。印刷の方法は、特に限定されるものではないが、スクリーン印刷、インクジェット印刷等により行うことができる。
また、遮光部材は、鏡を用いることもでき、鏡を用いた場合は、擬似的に天井高さを高く見せることができ、使用者に浴室を広く見せることができる。
【００１３】
本発明にて述べる光源は、浴室内を照らすことができるものであれば特に限定されるものではない。具体的には、白熱球、蛍光灯、発光ダイオード等を用いることができ、中でも熱が発生せず、長寿命な発光ダイオードを用いることが好ましい。
発光ダイオードを用いる場合は、より高輝度のものを用いることが好ましく、白色のものばかりでなく、色つきのものを用いることも、光の三原色等の複数色の発光ダイオードを合わせて用いることもできる。
【００１４】
本発明にて述べる遮光領域とは、先に述べた遮光部材直下となる領域を意味し、透光領域は、天井パネルであって、遮光領域以外の部分を意味する。
図３は、遮光領域と透光領域を示す模式図である。図３（ａ）では、印刷面を遮光部材としており、印刷面の直下部分であるＢ部分を遮光領域、印刷面が積層されてないＡ部分を透光領域としている。
図３（ｂ）では、遮光性のシートを接着材にて天井パネルに接着しており、Ｂを遮光領域、Ａを透光領域としている。
尚、図示していないが、透光領域Ａの直上には、光源が配置される。
【実施例】
【００１５】
以下、本発明の実施例について図面を用いて説明する。
図４は本発明の１実施例である浴室ユニットの透視概略斜視図である。
浴室ユニット１は、防水パン２の周囲に複数の壁パネル３が立設され、その上端に天井パネル４が接続されており、浴室内には、浴槽５と、洗い場１３が形成されている。
上記天井パネル４は、浴室ユニット１の外側を点検する際に使用する点検口１４を設けてあり、この点検口１４は、常時開閉自由な蓋によって閉じられている。
本実施例では、点検口１４から施工者が天井裏に回り、浴室外側にＬＥＤダウンライト１５を四箇所に設置し、浴室内側を照らすように形成される。
【００１６】
図５は、図４に示す天井パネルのＡ−Ａ断面図であり、図６は、図４に示す天井パネルの平面図である。
天井パネル４は、透明アクリル樹脂を板状に形成したものであり、その厚みは、５ｍｍとしている。
また、天井パネルの裏面（浴室外側になる面）は、シルクスクリーン印刷により黒色の遮光塗料を印刷（図６の斜線部分）してあり、この印刷面を遮光領域としている。
尚、遮光塗料は、図６に示すように、ＬＥＤダウンライトを設置する部分を除いて印刷されている。
点検口１４は、先に説明したように蓋により開閉自在に閉じるが、本実施例では、蓋も天井部分と同様の質感を出すために、透明アクリル板の裏面に黒色遮光塗料を印刷したものを使用している。
【００１７】
図７は、図４に示すＬＥＤダウンライトの固定方法を示す模式図である。
ＬＥＤダウンライト１５は、天井パネル裏面に接着固定するフランジ１６を有した円筒形であり、円筒内部に高輝度白色ＬＥＤを複数並べて発光部１７としている。
ＬＥＤダウンライト１５の設置は、天井パネル４の透光領域外周部分に隣接する遮光領域に対し、フランジ１６を接着剤により固定する。この際、発光部１７は、その全てが透光領域の直上になるように、ずれなく固定する必要がある。
このような設置を行った浴室ユニットは、使用するのに十分な光量を得られる以外に、光源の機器自体を見ることがなく、快適な入浴を行うことができ、透明アクリル板を使用したことから、深みのある天井とすることもできる。
【００１８】
ＬＥＤダウンライト１５は、市場に流通しているものであり、且つ、天井パネル自体が防水を行っているので、ライト自体が防水機能を有する必要がなく、照射方向に熱を持たないというＬＥＤの特性により、耐熱性能を気にすることなく、直接透明アクリル板の上に設置することが可能である。
また、ＬＥＤは、他の光源に比較し、省電力で、半永久的に使用可能であり、取替え等の問題も発生しないことから、浴室裏側から設置しても何ら問題とはならない。
【００１９】
尚、本実施例では、天井パネルとして、透明アクリル板を使用したが、乳白色のアクリルにすると、ＬＥＤダウンライト１５が点灯した際に、天井パネルの一部分が面発光し、消灯した場合でも浴室内側から照明の存在が分からず、スッキリとした天井パネルを演出することができる。
【図面の簡単な説明】
【００２０】
【図１】従来の浴室ユニットを示す概略透視斜視図である。
【図２】図１に示す灯具周囲の拡大断面図である。
【図３】本発明にて述べる遮光領域と透光領域を示す模式図であり、（ａ）は遮光領域として印刷面を使用したもの、（ｂ）は遮光領域として遮光シートを使用したものである。
【図４】本発明の１実施例である浴室ユニットの透視概略斜視図である。
【図５】図４に示す天井パネルのＡ−Ａ断面図である。
【図６】図４に示す天井パネルの平面図である。
【図７】図４に示すＬＥＤダウンライト拡大である。
【符号の説明】
【００２１】
１…浴室ユニット、２…防水パン、３…壁パネル、４…天井パネル、５…浴槽、６…カウンター、７…水栓、８…鏡、９…灯具、１０…白熱球、１１…照明カバー、１２…透光カバー、１３…洗い場、１４…点検口、１５…ＬＥＤ基板ダウンライト、１６…フランジ、１７…発光部。
【図１】
2009046872.tif 000003
【図２】
2009046872.tif 000004
【図３】
2009046872.tif 000005
【図４】
2009046872.tif 000006
【図５】
2009046872.tif 000007
【図６】
2009046872.tif 000008
【図７】
2009046872.tif 000009